(57)【特許請求の範囲】
【請求項１】
縦方向に配列された複数の縦板と横方向に配列された複数の横板とが共に起立した状態で互いに交差して組み立てられた格子状部材において、
前記縦板は、起立したとき上下方向に交互に屈曲する略波形状に形成された第１縦板と該第１縦板と同形の第２縦板とからなり、第１縦板と第２縦板とが交互に配列され、
前記横板は、矩形状に形成された第１横板と該第１横板と同形の第２横板とからなり、第１横板と第２横板とが交互に配列され、
前記第１縦板は、その上端縁から下方に延びる第１切欠部と、下端縁から上方に延びる第２切欠部とを交互に備え、
前記第２縦板は、その下端縁から上方に延びて前記第１縦板の第１切欠部に対応する位置に形成された第３切欠部と、上端縁から下方に延びて前記第１縦板の第２切欠部に対応する位置に形成された第４切欠部とを交互に備え、
前記第１横板は、その下端縁から上方に延びて前記第１縦板の第１切欠部に係合する第５切欠部と、上端縁から下方に延びて前記第２縦板の第３切欠部に係合する第６切欠部とを交互に備え、
前記第２横板は、その上端縁から下方に延びて前記第１縦板の第２切欠部に係合する第７切欠部と、下端縁から上方に延びて前記第２縦板の第４切欠部に係合する第８切欠部とを交互に備え、
前記第１切欠部と前記第５切欠部との係合位置と、前記第３切欠部と前記第６切欠部との係合位置とが同一直線上に配設され、該直線に平行し且つ該直線と高さ位置の異なる他の直線上に、前記第２切欠部と前記第７切欠部との係合位置及び前記第４切欠部と前記第８切欠部との係合位置が配設されていることを特徴とする格子状部材。
【請求項２】
縦方向に配列された複数の縦板と横方向に配列された複数の横板とが共に起立した状態で互いに交差して組み立てられた格子状部材において、
前記縦板は、起立したとき上下方向に交互に屈曲する略波形状に形成された第１縦板と該第１縦板と同形の第２縦板とからなり、一対の第１縦板の間に複数の第２縦板が配列され、
前記横板は、矩形状に形成された第１横板と該第１横板と同形の第２横板とからなり、第１横板と第２横板とが交互に配列され、
前記第１縦板は、その上端縁から下方に延びる第１切欠部と、下端縁から上方に延びる第２切欠部とを交互に備え、
前記第２縦板は、その下端縁から上方に延びて前記第１縦板の第１切欠部に対応する位置に形成された第３切欠部と、上端縁から下方に延びて前記第１縦板の第２切欠部に対応する位置に形成された第４切欠部とを交互に備え、
前記第１横板は、その下端縁から上方に延びて各第１縦板の第１切欠部に係合する一対の第５切欠部を備えると共に、上端縁から下方に延びて各第２縦板の第３切欠部に係合する複数の第６切欠部を両第５切欠部の間に備え、
前記第２横板は、その上端縁から下方に延びて各第１縦板の第２切欠部に係合する一対の第７切欠部を備えると共に、下端縁から上方に延びて各第２縦板の第４切欠部に係合する複数の第８切欠部を両第７切欠部の間に備え、
前記第１切欠部と前記第５切欠部との係合位置と、前記第３切欠部と前記第６切欠部との係合位置とが同一直線上に配設され、該直線に平行し且つ該直線と高さ位置の異なる他の直線上に、前記第２切欠部と前記第７切欠部との係合位置及び前記第４切欠部と前記第８切欠部との係合位置が配設されていることを特徴とする格子状部材。
【請求項３】
縦方向に配列された複数の縦板と横方向に配列された複数の横板とが共に起立した状態で互いに交差して組み立てられた格子状部材において、
前記縦板は、起立したとき上下方向に交互に屈曲する略波形状に形成された第１縦板と該第１縦板と同形の第２縦板とからなり、第１縦板と第２縦板とが交互に配列され、
前記横板は、矩形状に形成された第１横板と該第１横板と同形の第２横板とからなり、一対の第１横板の間に複数の第２横板が配列され、
前記第１縦板は、その上端縁から下方に延びる一対の第１切欠部を備えると共に、下端縁から上方に延びる複数の第２切欠部を両第１切欠部の間に備え、
前記第２縦板は、その下端縁から上方に延びて前記第１縦板の第１切欠部に対応する位置に形成された一対の第３切欠部を備えると共に、上端縁から下方に延びて前記第１縦板の第２切欠部に対応する位置に形成された複数の第４切欠部を両第３切欠部の間に備え、
前記第１横板は、その下端縁から上方に延びて前記第１縦板の第１切欠部に係合する第５切欠部と、上端縁から下方に延びて前記第２縦板の第３切欠部に係合する第６切欠部とを交互に備え、
前記第２横板は、その上端縁から下方に延びて前記第１縦板の第２切欠部に係合する第７切欠部と、下端縁から上方に延びて前記第２縦板の第４切欠部に係合する第８切欠部とを交互に備え、
前記第１切欠部と前記第５切欠部との係合位置と、前記第３切欠部と前記第６切欠部との係合位置とが同一直線上に配設され、該直線に平行し且つ該直線と高さ位置の異なる他の直線上に、前記第２切欠部と前記第７切欠部との係合位置及び前記第４切欠部と前記第８切欠部との係合位置が配設されていることを特徴とする格子状部材。
【請求項４】
縦方向に配列された複数の縦板と横方向に配列された複数の横板とが共に起立した状態で互いに交差して組み立てられた格子状部材において、
前記縦板は、起立したとき上下方向に交互に屈曲する略波形状に形成された第１縦板と該第１縦板と同形の第２縦板とからなり、一対の第１縦板の間に複数の第２縦板が配列され、
前記横板は、矩形状に形成された第１横板と該第１横板と同形の第２横板とからなり、一対の第１横板の間に複数の第２横板が配列され、
前記第１縦板は、その上端縁から下方に延びる一対の第１切欠部を備えると共に、下端縁から上方に延びる複数の第２切欠部を両第１切欠部の間に備え、
前記第２縦板は、その下端縁から上方に延びて前記第１縦板の第１切欠部に対応する位置に形成された一対の第３切欠部を備えると共に、上端縁から下方に延びて前記第１縦板の第２切欠部に対応する位置に形成された複数の第４切欠部を両第３切欠部の間に備え、
前記第１横板は、その下端縁から上方に延びて各第１縦板の第１切欠部に係合する一対の第５切欠部を備えると共に、上端縁から下方に延びて各第２縦板の第３切欠部に係合する複数の第６切欠部を両第５切欠部の間に備え、
前記第２横板は、その上端縁から下方に延びて各第１縦板の第２切欠部に係合する一対の第７切欠部を備えると共に、下端縁から上方に延びて各第２縦板の第４切欠部に係合する複数の第８切欠部を両第７切欠部の間に備え、
前記第１切欠部と前記第５切欠部との係合位置と、前記第３切欠部と前記第６切欠部との係合位置とが同一直線上に配設され、該直線に平行し且つ該直線と高さ位置の異なる他の直線上に、前記第２切欠部と前記第７切欠部との係合位置及び前記第４切欠部と前記第８切欠部との係合位置が配設されていることを特徴とする格子状部材。
【発明の詳細な説明】
【０００１】
【産業上の利用分野】
本発明は、起立する複数の縦板と起立する複数の横板とを格子状に係合させることによって組み立てられる格子状部材に関する。
【０００２】
【従来の技術】
この種の格子状部材は、包装箱等の内部を複数に区画する仕切体として用いられることが知られている。本出願人は先に、縦板と横板との係合を確実に維持することができると共に、縦板と横板との係合を解除することなく偏平状態に迅速に変形させることができる仕切体を提案した（実開平５−１０４１２５号公報参照）。しかし、該仕切体は、縦板の切欠部と横板の切欠部とを係合させるときに、互いに隣り合うもの同士で逆方向に係合させなければならないために、組立作業が極めて煩わしい不都合があった。特に、仕切りの高さ寸法を比較的大とした場合には、縦板及び横板の幅寸法が大となると同時に、各切欠部の長さ寸法も長くなるため、縦板の切欠部と横板の切欠部との係合が一層困難となる不都合がある。更に、仕切りの高さ寸法を比較的大とすると、縦板及び横板の形状が大きくなるため材料コストが増加する不都合がある。
【０００３】
また、この種の格子状部材は、例えば、包装箱の底板上に敷設してその上に被包装物を載置収納することで、緩衝部材として用いることが考えられる。しかし、従来のように、矩形状の縦板と横板とを互いに交差させて格子状部材を形成した場合には、その高さ方向（縦板及び横板の幅方向）に十分な撓み量が得られないため、緩衝効果が不十分である不都合があった。
【０００４】
【発明が解決しようとする課題】
かかる不都合を解消して、本発明は、組み立て状態を確実に維持して迅速に偏平状態とすることができると共に、縦板と横板とを係合させる組立作業を容易に行なうことができ、しかも、仕切部材として好適であるだけでなく十分な緩衝効果が得られる緩衝部材としても使用することができる格子状部材を提供することを目的とする。
【０００５】
【課題を解決するための手段】
本発明は、縦方向に配列された複数の縦板と横方向に配列された複数の横板とが共に起立した状態で互いに交差して組み立てられた格子状部材であり、前記目的を達成するための第１の態様は、前記縦板は、起立したとき上下方向に交互に屈曲する略波形状に形成された第１縦板と該第１縦板と同形の第２縦板とからなり、第１縦板と第２縦板とが交互に配列され、前記横板は矩形状に形成された第１横板と該第１横板と同形の第２横板とからなり、第１横板と第２横板とが交互に配列され、前記第１縦板は、その上端縁から下方に延びる第１切欠部と、下端縁から上方に延びる第２切欠部とを交互に備え、前記第２縦板は、その下端縁から上方に延びて前記第１縦板の第１切欠部に対応する位置に形成された第３切欠部と、上端縁から下方に延びて前記第１縦板の第２切欠部に対応する位置に形成された第４切欠部とを交互に備え、前記第１横板は、その下端縁から上方に延びて前記第１縦板の第１切欠部に係合する第５切欠部と、上端縁から下方に延びて前記第２縦板の第３切欠部に係合する第６切欠部とを交互に備え、前記第２横板は、その上端縁から下方に延びて前記第１縦板の第２切欠部に係合する第７切欠部と、下端縁から上方に延びて前記第２縦板の第４切欠部に係合する第８切欠部とを交互に備え、前記第１切欠部と前記第５切欠部との係合位置と、前記第３切欠部と前記第６切欠部との係合位置とが同一直線上に配設され、該直線に平行し且つ該直線と高さ位置の異なる他の直線上に、前記第２切欠部と前記第７切欠部との係合位置及び前記第４切欠部と前記第８切欠部との係合位置が配設されていることを特徴とする。
【０００６】
本発明の格子状部材は、前記第１切欠部と前記第５切欠部との係合位置から延びて、前記第３切欠部と前記第６切欠部との係合位置を通る直線と、前記第２切欠部と前記第７切欠部との係合位置から延びて、前記第４切欠部と前記第８切欠部との係合位置を通る他の直線とが高さの異なる位置で平行になるように各係合位置を配設したので、各縦板と各横板とが起立状態のとき、複数の縦板同士を互いに当接する方向に畳み込んだ後、縦板と横板とを夫々面方向に広げることにより、各切欠部の係合を維持した状態で容易に偏平状態とすることができる。これにより、格子状部材を組み立てた後に、扁平にして嵩張ることなく輸送や保管を行なうことができ、また、扁平にした格子状部材を容易に迅速に使用状態とすることができる。
【０００７】
更に、本発明においては、前記第１の態様と同様の効果を有する構成として、第２乃至第４の態様を挙げることができる。即ち、第２の態様は、一対の第１縦板の間に複数の第２縦板が配列され、第１横板と第２横板とが交互に配列されている。そして、前記第１縦板は、その上端縁から下方に延びる第１切欠部と、下端縁から上方に延びる第２切欠部とを交互に備え、前記第２縦板は、その下端縁から上方に延びて前記第１縦板の第１切欠部に対応する位置に形成された第３切欠部と、上端縁から下方に延びて前記第１縦板の第２切欠部に対応する位置に形成された第４切欠部とを交互に備え、前記第１横板は、その下端縁から上方に延びて各第１縦板の第１切欠部に係合する一対の第５切欠部を備えると共に、上端縁から下方に延びて各第２縦板の第３切欠部に係合する複数の第６切欠部を両第５切欠部の間に備え、前記第２横板は、その上端縁から下方に延びて各第１縦板の第２切欠部に係合する一対の第７切欠部を備えると共に、下端縁から上方に延びて各第２縦板の第４切欠部に係合する複数の第８切欠部を両第７切欠部の間に備える。
【０００８】
本発明の第３の態様は、第１縦板と第２縦板とが交互に配列され、一対の第１横板の間に複数の第２横板が配列されている。そして、前記第１縦板は、その上端縁から下方に延びる一対の第１切欠部を備えると共に、下端縁から上方に延びる複数の第２切欠部を両第１切欠部の間に備え、前記第２縦板は、その下端縁から上方に延びて前記第１縦板の第１切欠部に対応する位置に形成された一対の第３切欠部を備えると共に、上端縁から下方に延びて前記第１縦板の第２切欠部に対応する位置に形成された複数の第４切欠部を両第３切欠部の間に備え、前記第１横板は、その下端縁から上方に延びて前記第１縦板の第１切欠部に係合する第５切欠部と、上端縁から下方に延びて前記第２縦板の第３切欠部に係合する第６切欠部とを交互に備え、前記第２横板は、その上端縁から下方に延びて前記第１縦板の第２切欠部に係合する第７切欠部と、下端縁から上方に延びて前記第２縦板の第４切欠部に係合する第８切欠部とを交互に備える。
【０００９】
本発明の第４の態様は、一対の第１縦板の間に複数の第２縦板が配列され、一対の第１横板の間に複数の第２横板が配列されている。そして、前記第１縦板は、その上端縁から下方に延びる一対の第１切欠部を備えると共に、下端縁から上方に延びる複数の第２切欠部を両第１切欠部の間に備え、前記第２縦板は、その下端縁から上方に延びて前記第１縦板の第１切欠部に対応する位置に形成された一対の第３切欠部を備えると共に、上端縁から下方に延びて前記第１縦板の第２切欠部に対応する位置に形成された複数の第４切欠部を両第３切欠部の間に備え、前記第１横板は、その下端縁から上方に延びて各第１縦板の第１切欠部に係合する一対の第５切欠部を備えると共に、上端縁から下方に延びて各第２縦板の第３切欠部に係合する複数の第６切欠部を両第５切欠部の間に備え、前記第２横板は、その上端縁から下方に延びて各第１縦板の第２切欠部に係合する一対の第７切欠部を備えると共に、下端縁から上方に延びて各第２縦板の第４切欠部に係合する複数の第８切欠部を両第７切欠部の間に備える。
【００１０】
そして、第４の態様において、格子状部材を組み立てるとき、先ず、第２縦板を起立させ、第４切欠部の上方から第２横板の第８切欠部を係合させる。次いで、一対の第１縦板の第２切欠部を第２横板の上方から第７切欠部に係合させる。そして、第１縦板の第１切欠部及び第２縦板の第３切欠部に各第１横板の第５切欠部及び第６切欠部を係合させる。このように、第４の態様においては、一層簡単に組立作業を行なうことができる。
【００１２】
また、上記の各態様において、各縦板が略波形状であることにより、格子状部材の高さ寸法は、縦板の幅寸法より大となる。従って、格子状部材を仕切部材として使用する場合に、縦板の材料コストを増加させることなく比較的高さ寸法を大とした仕切部材を形成することができる。
【００１３】
また、各縦板が略波形状であることにより、格子状部材の高さと同じ幅寸法を有する縦板を採用した場合に比べて、横板の組み付け作業が容易となり、しかも縦板と横板との係合状態を確実に維持することができる。即ち、格子状部材の高さと同じ幅寸法を有する縦板を採用した場合の各切欠部の長さ（切り込み寸法）に対して、各縦板が略波形状である場合の各切欠部の長さが短くてよく、従って、縦板の各切欠部と横板の各切欠部との係合作業を容易に行うことができる。
【００１４】
そして更に、各縦板が略波形状であることにより、起立状態の各縦板に上下方向の圧縮力が付与されたときの撓みを得ることができ、格子状部材を緩衝部材として使用した場合に、十分な緩衝効果をえることができる。
【００１５】
【発明の実施の形態】
本発明の実施形態を図面に基づいて説明する。図１は本実施形態の格子状部材を示す説明的斜視図、図２は図１に示した格子状部材を分解して示す説明図、図３（ａ）乃至（ｃ）は格子状部材を偏平状態にする際の説明図、図４は格子状部材の緩衝部材としての作用を示す説明図である。また、図５乃至図８は本発明の他の実施形態の格子状部材を分解して示す説明図であり、図９は図８の格子状部材の組立状態を示す斜視図である。
【００１６】
本発明の第１の実施形態の格子状部材１は、図１に示すように、縦方向を長手方向とした合成樹脂製の板材からなる複数の縦板２ａ，２ｂと、横方向を長手方向とした合成樹脂製の板材からなる複数の横板３ａ，３ｂとが起立した状態で互いに交差して組み立てられている。縦板は第１縦板２ａと第２縦板２ｂとからなる。横板は第１横板３ａと第２横板３ｂとからなる。
【００１７】
図２に示すように、第１縦板２ａと第２縦板２ｂとは交互に配列され、第１横板３ａと第２横板３ｂとは交互に配列されている。第１縦板２ａには、第１切欠部４が上端縁（図中左方）から下方（図中右方）に延びて形成され、第２切欠部５が下端縁（図中右方）から上方（図中左方）に延びて形成されている。第１切欠部４と第２切欠部５とは第１縦板２ａの長手方向に沿って交互に形成されている。第２縦板２ｂには、第３切欠部６が下端縁から上方に延びて形成され、第４切欠部７が上端縁から下方に延びて形成されている。即ち、第１縦板２ａと、第２縦板２ｂとは同一形状に形成されているが、両者の同じ部位には互いに逆方向に延びる切欠部が形成されている。第１切欠部４乃至第４切欠部７は長さ寸法が等しく、縦板２ａ，２ｂの幅寸法の１／２とされている。
【００１８】
また、図２に示すように、第１横板３ａには、第５切欠部８が下端縁から上方に延びて形成され、第６切欠部９が上端縁から下方に延びて形成されている。第５切欠部８と第６切欠部９とは第１横板３ａの長手方向に沿って交互に形成されている。第２横板３ｂには、第７切欠部１０が上端縁から下方に延びて形成され、第８切欠部１１が下端縁から上方に延びて形成されている。即ち、第１横板３ａと、第２横板３ｂとは同一形状に形成されているが、両者の同じ部位には互いに逆方向に延びる切欠部が形成されている。第５切欠部８乃至第８切欠部１１は長さ寸法が等しく、横板３ａ，３ｂの幅寸法の１／２とされている。
【００１９】
そして、図２に示すように、第１切欠部４は第５切欠部８に、第２切欠部５は第７切欠部１０に、夫々対応する位置において係合し、第３切欠部６は第６切欠部９に、第４切欠部７は第８切欠部１１に、夫々対応する位置において係合して図１に示すように組み立てられる。
【００２０】
そしてこのとき、各切欠部の係合位置の位置関係を説明すれば、図１に示すように、第１切欠部４と第５切欠部８との係合位置から第３切欠部６と第６切欠部９との係合位置を通る直線Ａは第１横板３ａに沿って延び、第２切欠部５と第７切欠部１０との係合位置から第４切欠部７と第８切欠部１１との係合位置を通る直線Ｂは第２横板３ｂに沿って延び、更に両直線Ａ，Ｂは互いに平行に位置される。これによって、図１に示すように両直線Ａ，Ｂの高さ位置が異なっていても、本実施形態の格子状部材１は、容易に偏平状態とすることができる。
【００２１】
即ち、先ず、図３（ａ）に示すように、格子状部材１の対角線方向に畳み込み、図３（ｂ）に示すように、各縦板２ａ，２ｂと各横板３ａ，３ｂとを積層状態に収束させる。次いで、積層状態の格子状部材１を、各縦板２ａ，２ｂ及び各横板３ａ，３ｂの夫々の面が上下方向となるように倒して、各縦板２ａ，２ｂ及び各横板３ａ，３ｂを夫々の面に対して水平に広げる。こうすると、図３（ｃ）に示すように、各縦板２ａ，２ｂと各横板３ａ，３ｂとは、各切欠部の係合部分を支点として回転し、各切欠部の係合を維持して偏平となる。
【００２２】
このようにして形成された格子状部材１は、図１に示す組立状態で図示しない包装箱等に収容し、被包装物を区分けして収容する仕切部材として使用することができる。また、格子状部材１は、図４（ａ）に示すように、包装箱Ｘの底部に収容して底板Ｙを介して被包装物Ｚを載置することによって、緩衝部材として用いることができる。このとき、前記第１縦板２ａと第２縦板２ｂとは略波形状であるので、上下からの圧縮方向に付与された荷重や衝撃に対して、図４（ｂ）に示すように撓み易く、十分な緩衝作用を得ることができる。
【００２３】
次に、本発明の第２乃至第４の実施形態について図５乃至図７に基づいて説明する。第２乃至第４の実施形態においては、前述した第１の実施形態の格子状部材１（図１示）と外観が同じであり、図３及び図４に基づいて説明した作用効果も同様に備えるものである。
【００２４】
先ず第２の実施形態について図５に基づいて説明する。第２の実施形態における縦板１２ａ，１２ｂは、一対の第１縦板１２ａの間に複数の第２縦板１２ｂが配列されている。また、横板１３ａ，１３ｂは、一対の第１横板１３ａの間に複数の第２横板１３ｂが配列されている。
【００２５】
第２の実施形態における第１縦板１２ａは、一対の第１切欠部４と、両第１切欠部４間に配列された複数の第２切欠部５とを備えている。第１切欠部４は第１縦板１２ａの上端縁から下方に延びて形成され、第２切欠部５は第１縦板１２ａの下端縁から上方に延びて形成されている。第２の実施形態における第２縦板１２ｂは、一対の第３切欠部６と、両第３切欠部６間に配列された複数の第４切欠部７とを備えている。第３切欠部６は第２縦板１２ｂの下端縁から上方に延びて形成され、第４切欠部７は第２縦板１２ｂの上端縁から下方に延びて形成されている。
【００２６】
また、第２の実施形態における第１横板１３ａは、一対の第５切欠部８と、両第５切欠部８間に配列された複数の第６切欠部９とを備えている。第５切欠部８は第１横板１３ａの下端縁から上方に延びて形成され、第６切欠部９は第１横板１３ａの上端縁から下方に延びて形成されている。第２の実施形態における第２横板１３ｂは、一対の第７切欠部１０と、両第７切欠部１０間に配列された複数の第８切欠部１１とを備えている。第７切欠部１０は第２横板１３ｂの上端縁から下方に延びて形成され、第８切欠部１１は第２横板１３ｂの下端縁から上方に延びて形成されている。
【００２７】
そして、各縦板１２ａ，１２ｂと各横板１３ａ，１３ｂとは、第１切欠部４は第５切欠部８に、第２切欠部５は第７切欠部１０に、夫々対応する位置において係合し、第３切欠部６は第６切欠部９に、第４切欠部７は第８切欠部１１に、夫々対応する位置において係合して図１に示すように組み立てられる。
【００２８】
ここで、第２の実施形態における格子状部材の組立作業を説明すれば、先ず、第２縦板１２ｂを起立させる。次いで、第２縦板１２ｂの第４切欠部７にその上方から、第２横板１３ｂの第８切欠部１１を係合させる。これにより、第２縦板１２ｂに組み込まれた第２横板１３ｂが起立する。このように、第２縦板１２ｂと第２横板１３ｂとを一挙に係合させることができるので、係合作業を効率よく行なうことができる。
【００２９】
続いて、第２横板１３ｂの第７切欠部１０に、その上方から第１縦板１２ａの第２切欠部５を係合させる。このときにも、該第２横板１３ｂの第７切欠部１０が上端縁から下方に延び、第１縦板１２ａの第２切欠部５が下端縁から上方に延びていることにより、その係合作業が容易に行なえる。
【００３０】
最後に、第１縦板１２ａの第１切欠部４に第１横板１３ａの第５切欠部８を係合させ、第２縦板１２ｂの第３切欠部６に第１横板１３ａの第６切欠部９を係合させる。このときにも、縦板１２ａ，１２ｂが略波形状に形成されていることによって、互い違いの切欠部の係合を容易に行なうことができる。
【００３１】
そして、以上のように組み立てられた第２の実施形態の格子状部材においても、容易に偏平状態とすることができるが、前述の第１の実施形態の格子状部材１と同様であるので、その説明は省略する。
【００３２】
次に、第３及び第４の実施形態について説明する。第３の実施形態においては、図６に示すように、部材として前記第１の実施形態において使用した第１縦板２ａ及び第２縦板２ｂを並べ替えて使用し、前記第２の実施形態において使用した第１横板１３ａ及び第２横板１３ｂを並べ替えて使用する。即ち、第３の実施形態においては、図６を図２と比較して明らかなように、一対の第１縦板２ａの間に複数の第２縦板２ｂが配列されている。また、図６を図５と比較して明らかなように、第１横板１３ａと第２横板１３ｂとが交互に配列されている。そして、図示しないが、第１切欠部４と第５切欠部８とが係合され、第２切欠部５と第７切欠部１０とが係合され、更に、第３切欠部６と第６切欠部９とが係合され、第４切欠部７と第８切欠部１１とが係合されて格子状に組み立てられる。これによっても、図１に示した格子状部材１と同様の形状及び効果を得ることができる。
【００３３】
更に、第４の実施形態においては、図７に示すように、部材として前記第２の実施形態において使用した第１縦板１２ａ及び第２縦板１２ｂを並べ替えて使用し、前記第１の実施形態において使用した第１横板３ａ及び第２横板３ｂを並べ替えて使用する。即ち、第４の実施形態においては、図７を図５と比較して明らかなように、第１縦板１２ａと第２縦板１２ｂとを交互に配列させ、図７を図２と比較して明らかなように、一対の第１横板３ａ間に複数の第２横板３ｂが配列されている。そして、図示しないが、前述した通り、第１切欠部４と第５切欠部８とが係合され、第２切欠部５と第７切欠部１０とが係合され、更に、第３切欠部６と第６切欠部９とが係合され、第４切欠部７と第８切欠部１１とが係合されて格子状に組み立てられる。これによっても、図１に示した格子状部材１と同様の形状及び効果を得ることができる。
【図面の簡単な説明】
【図１】本発明の第１の実施形態の格子状部材を示す説明的斜視図。
【図２】図１に示した格子状部材を分解して示す説明図。
【図３】（ａ）乃至（ｃ）は格子状部材を偏平状態にする際の説明図。
【図４】格子状部材の緩衝部材としての作用を示す説明図。
【図５】第２の実施形態の格子状部材を分解して示す説明図。
【図６】第３の実施形態の格子状部材を分解して示す説明図。
【図７】第４の実施形態の格子状部材を分解して示す説明図。
【符号の説明】
１…格子状部材、２ａ，１２ａ…第１縦板、２ｂ，１２ｂ…第２縦板、３ａ，１３ａ…第１横板、３ｂ，１３ｂ…第２横板、４…第１切欠部、５…第２切欠部、６…第３切欠部、７…第４切欠部、８…第５切欠部、９…第６切欠部、１０…第７切欠部、１１…第８切欠部。
【図１】
0003782939.tif 000002
【図２】
0003782939.tif 000003
【図３】
0003782939.tif 000004
【図４】
0003782939.tif 000005
【図５】
0003782939.tif 000006
【図６】
0003782939.tif 000007
【図７】
0003782939.tif 000008